(57)【要約】【課題】電子機器を使用する人間に対して、電子機器自体が電子画面との間の距離を常時監視して人間に注意を促がす装置を提供する。【解決手段】  情報を処理し、その結果を表示する電子画面を備えた電子機器に付加される視距離通知装置であって、電子画面の縁枠に配置されこの画面に対面して当該電子機器を操作する人間の顔と、この電子画面との間の距離を常時検出する距離センサーとを設け。比較部が検出された距離と予め定めた所定の数値とを比較し、検出された距離が所定の数値より小さい場合は、近視になる恐れがあるとの警報信号を出力する。この警報信号を受けて、警告部が人間に向かって音と発光により警告を発する。【選択図】  図１
0003104709.tif 000002
【実用新案登録請求の範囲】
【請求項１】
２個の物体間の距離を検出する距離センサーと、この検出された距離を記録するメモリと、電子時計部と、この検出された距離と予め定めた所定の数値とを比較し、この距離が前記所定の数値より小さい場合は警報信号を出力する比較部と、この警報信号を受けて、前記人間に向かって音と発光により警告を発する警告部の各要素から構成され、情報を処理する電子機器の表示画面の近傍に配置される視距離通知装置。
【請求項２】
前記各要素が前記電子機器とは別体の箱型に格納整形されるとともに、前記表示画面の枠縁に着脱自在に取り付けられて、当該電子機器を操作する人間の顔と前記表示画面との間の距離を近似的に検出することを特徴とする請求項１に記載の視距離通知装置。
【請求項３】
前記各要素が前記電子機器の表示画面の枠縁に、当該電子機器の製造時に埋め込まれて格納整形さており、前記電子機器を操作する人間の顔と前記表示画面との間の距離を近似的に検出することを特徴とする請求項１に記載の視距離通知装置。
【請求項４】
前記各要素が前記電子機器とは別体の容器に格納されるとともに、更にこの容器は装飾用の置物の中に収納されて、前記電子機器を操作する人間の顔と前記表示画面との間の距離を近似的に検出することを特徴とする請求項１に記載の視距離通知装置。
【請求項５】
前記距離センサーは、前記２個の物体の一方から発射された超音波と他方の物体から反射される超音波とから前記距離を算出する超音波センサー、または他方から放射された赤外線を一方の物体で検出して前記距離を算出する赤外線センサー、または他方から反射される可視光線を映像データとして検出して前記距離を算出する電子カメラのうちいずれかにより構成されることを特徴とする請求項１に記載の視距離通知装置。
【請求項６】
前記警告部は、前記警報信号を受けて音声を発する音声発生部と、前記警報信号を受けて電子的に発光する発光体とから構成したことを特徴とする請求項１に記載の視距離通知装置。
【請求項７】
前記メモリに記録される前記検出された距離は、電子時計部の時間と関連つけて読み出し可能に記憶されていることを特徴とする請求項６に記載の視距離通知装置。
【請求項８】
前記音声発生部はスピーカーを含み前記人間に近すぎることを注意する音声を発するとともにと、前記発光体は記号や文字や色によるものであるとことを特徴とする請求項６に記載の視距離通知装置。
【請求項９】
前記音声発生部とスピーカーは前記電子機器が予め備えているものであるともにと、前記発光体は前記電子機器が予め備えている前記電子画面であるとことを特徴とする請求項８に記載の視距離通知装置。
【考案の詳細な説明】
【技術分野】
【０００１】  この考案は、電子表示装置に対する視距離通知装置に関し、特に、使用中の電子装置自体が使用者に対して行う視距離通知装置関する。
【背景技術】
【０００２】  近年小中学校の教育でコンピュータ実習が取り入れられ、発育途上の青少年がパソコンと向き合う時間が多くなっている。また職場でも長時間パソコン等に向かって仕事をすることが、普通になっている。労働現場に関しては、電子画面と目との間の視距離は４０ｃｍが望ましいことが、中央労働災害防止協会から出版された「ＶＤＴ作業の労働衛生実務」に記載されている。
パソコン等の電子画面を集中して凝視すると目が疲労し、画面上の文字が霞んでくる、すると必然的に顔を画面に接近させるようになる。この状態では画面に集中することで、眼は極度の調節緊張を余儀なくされ、近くばかりを見続けると仮性近視になり易いという問題があった。このことが発育途上の青少年の近眼を発生させる大きな一因となり、また成人では眼性疲労の原因となっている。【０００３】  近年、高度な人口知能知識を早期に理解できるようにと、またこのような思考開発を目的に学校や家庭で青少年のパソコン使用が奨励されている。
一方、パソコン画面を覗き込んで、知らないうちに画面に顔を近づけても、学習や仕事に夢中になった本人は気が着かない場合が多い。
携帯電話、携帯携帯ゲーム機及び電子端末、電子ブック、計算機、各種パソコン等の電子画面を相手に作業していて、毎日のように画面に近か過ぎていると、視力が正常な人でもどうしても知らず知らずのうちに何時しか近眼になってしまうものであった。
【考案の開示】
【考案が解決しようとする課題】
【０００４】  子供に対しては教師や親が画面から正しい距離を保つように時々注意をしているが、常時監視して青少年に注意を促がすには限界がある。一般人でも電子画面と目との間の視距離が４０ｃｍより、短くても、遠くても姿勢が崩れ、脊髄に負担がかかり、椎間板ヘルニアになる危険性も少なくなかった（前記「ＶＤＴ作業の労働衛生実務」による）。
パソコン等の活用を知識社会が推進するに従い青少年の視力低下という希望しない副作用が発生し、社会問題になっている。また社会人では仕事をすればするほど、電子機器に対面することが多くなり、視力の健康管理が重要になっている。しかしながらこのよう状況でも基準距離４０ｃｍに保つような、有効な視力の視距離通知装置が知られていなかつた。
この考案は、使用しているパソコン等の電子装置自体が電子画面と使用者の目との距離を自動的に通報するようにして、使用者の目が表示画面に接近し過ぎることによる視力の劣化や近眼の発生や姿勢不良を防止し、また離れ過ぎによる姿勢不良を防止する装置を提供し、また既に近眼の場合はその度合いの変化をデータとして明らかにすることを目的とする。
【課題を解決するための手段】
【０００５】  この考案は、上記問題を解決するためになされたもので、請求項１の考案では、２個の物体間の距離を検出する距離センサーと、この検出された距離を記録するメモリと、電子時計部と、この検出された距離と予め定めた所定の数値とを比較し、この距離が前記所定の数値より小さい場合は警報信号を出力する比較部と、この警報信号を受けて、前記人間に向かって音と発光により警告を発する警告部の各要素部から構成されて、情報を処理する電子機器の表示画面の近傍に配置される視距離通知装置とする。
請求項２の考案では、前記各要素部が前記電子機器とは別体の箱型に格納整形されるとともに、前記表示画面の枠縁に着脱自在に取り付けられて、当該電子機器を操作する人間の顔と前記表示画面との間の距離を近似的に検出することを特徴とする。【０００６】  請求項３の考案では、前記各要素部が前記電子機器の表示画面の枠縁に、当該電子機器の製造時に埋め込まれて格納整形さており、前記電子機器を操作する人間の顔と前記表示画面との間の距離を近似的に検出することを特徴とする。
請求項４の考案では、前記各要素部が前記電子機器とは別体の容器に格納されるとともに、更にこの容器は装飾用の置物の中に収納されて、前記電子機器を操作する人間の顔と前記表示画面との間の距離を近似的に検出することを特徴とする。
請求項５の考案では、前記距離センサーは、前記２個の物体の一方から発射された超音波と他方の物体から反射される超音波とから前記距離を算出する超音波センサー、または他方から放射された赤外線を一方の物体で検出して前記距離を算出する赤外線センサー、または他方から反射される可視光線を映像データとして検出して前記距離を算出する電子カメラのうちいずれかにより構成されることを特徴とする。【０００７】  請求項６の考案では、前記警告部は、前記警報信号を受けて音声を発する音声発生部と、前記警報信号を受けて電子的に発光する発光体とから構成したことを特徴とする。
請求項７の考案では、前記メモリに記録される前記検出された距離は、電子時計部の時間と関連つけて読み出し可能に記憶されていることを特徴とする。
請求項８の考案では、前記音声発生部はスピーカーを含み前記人間に近すぎることを注意する音声を発するとともにと、前記発光体は記号や文字や色によるものであるとことを特徴とする。
請求項９の考案では、前記音声発生部とスピーカーは前記電子機器が予め備えているものであるともにと、前記発光体は前記電子機器が予め備えている前記電子画面であるとことを特徴とする。
【考案の効果】
【０００８】    特別な人間労力を必要としないで、自動的にパソコンなどの使用者の目が表示画面に接近し過ぎたり、離れ過ぎることを未然に防止し、結果的に電子機器による視力の劣化や近眼の発生を防止できるようになった。また姿勢の崩れを防止し、脊髄への負担を少なくできる。
他人の労力を要することなく、青少年のコンピュータ教育を安心して促進でき年齢とともに変化する視力の健康管理が容易に広く普及できる。
メモリに記録された視距離を読み出して正常者と比較・参照することで、ＶＤＴ作業による疲労度を把握し、労働者の健康管理に関する基礎データとして利用できる。
【考案を実施するための最良の形態】
【０００９】  以下、添付図面を参照して本考案の実施形態について説明する。
まず、図１ではこの考案の電子表示装置に対する視距離通知装置について、卓上コンピュータ（パソコン）の電子画面を使用した一実施例について説明する。
図１は電子表示装置に対する視距離通知装置の全体外観を示す。この装置はパソコン１を使用し、大型の液晶電子画面である画面部４の枠５には視距離通知装置１０が設けられている。視距離通知装置１０は距離センサー２と警報装置３とから構成される。【００１０】    視距離通知装置１０の距離センサー２には、超音波型や赤外線型や電子カメラ型がある。
まず、超音波型では、侵入者警報装置、電灯の自動スイッチ、自動車のバックソナー、自動ドア、液面レベル計、交通信号自動切換え装置用などに市販されている距離計がある。この距離計は例えば日本セラミックが販売しており、インターネット上で注文できる。その性能や仕様についてはＮＩＰＰＯＮ  ＣＥＲＡＭＩＣ  ＣＯ．，ＬＴＤ．のホームページ
ｈｔｔｐ：／／ｗｗｗ．ｎｉｃｅｒａ．ｃｏ．ｊｐ／ｈｔｍｌ／ｈｔｍｌｊ３／ｕｔ／ｓｅｉｈｉｎｃＯＯ１．ｈｔｍ
から入手できる。【００１１】    次に赤外線型では、赤外線センサーを使用し、暗闇の中で通りすぎると突然明かりを付いたり、玄関先に立つと自動的にドアが開く。このような仕掛けのもとになっているのが赤外線センサーである。
赤外線は人間の目には見えない光の一種で、虹の赤色より外側にある光であり、波長は、人間が目で認識する光より長く、熱作用が大きいので熱線と言いわれる。即ち、赤外線は熱のあるところからは必ず出ているので、人間の身体からも同じように、その体温に応じた波長の赤外線が出ている。【００１２】    人体が輻射する３６．５Ｃ前後の赤外線の波長は、６〜１４μｍで赤外線センサーは幅のある赤外線帯域を関知するが、前面に６〜１４μｍの波長だけを透過するフィルタをつければ、人体だけを検出するセンサーとなる。赤外線センサーは直線上の範囲、約５ｍまで感知できる。赤外線センサーも、インターネット上で注文でき、その性能や仕様についてはホームショッピングガイドのホームページ
ｈｔｔｐ：／／ｇｌｏｂａｌ．ｈｏｒｉｂａ．ｃｏｍ／ｓｅｎｓｏｒｉｕｍ／ｏｍｏｓｈｉｒｏ／ｆｕｎ＿８．ｈｔｍ
ｈｔｔｐ：／／ｐｃ．ｗａｔｃｈ．ｉｍｐｒｅｓｓ．ｃｏ．ｊｐ／ｄｏｃｓ／２００２／１２２５／ｉｏｄａｔａ２．ｈｔｍ
ｈｔｔｐ：／／ｗｗｗｗ．ｈｓ−ｕ．ｃｏｍ／ｂｏｕｈａｎ／ｃｈｉｍｅ．ｈｔｍｌ
などからで入手できる。【００１３】  まず視距離通知装置１０の超音波型について、その原理を図２で詳しく説明する。
距離センサー２は超音波発信部２０と受信部２１とからなり、発信部２０からは距離に対応した一連のパルス音波が点線のように例えば２秒毎に順番に発射される。受信部２１は発信部２０と同期して、人間１３の顔面Ｆから反射されるこれら一連のパルス音波数を計数する。パルス音波数が多いほどと遠くから反射しており、パルス音波幅を狭くするほど正確な距離が測定できる。
図１のパソコン１を使用中の人間１３は急に画面部４に近づいたりはしないので、パルス音波を２秒毎に発射するだけで十分であるが、発射間隔を短くすることも可能である。
受信部２１ではパルス音波数即ち、発射と受信との時間差と、音波の速度とから画面部４と顔Ｆとの距離Ｄを算出する。この距離Ｄはバッファメモリ１６に記録され、記録された距離Ｄは汎用のＵＳＢ端子を介して図１のパソコン１に送られる。視距離通知装置１０は電源部１７を備え、ＵＳＢ端子を介してパソコン１から電力を供給される。電源部１２は安全用の抵抗器Ｒ１とＲ２と電解コンデンサーＣと電池Ｅ０とから構成され、距離センサー２と警報装置３とその他必要な回路に電圧Ｅ０を供給する。バッファメモリ１６にはＵＳＢ端子を介してパソコン１から時刻データが与えられて、距離Ｄは時間と関連して記録される。この記録は１日単位ばかりでなく、１週間、１ヶ月、半年単位で、記録する。【００１４】  比較回路２３はこの距離Ｄが予めメモリ２２に設定した値４０ｃｍ以下になると、警報パルスＫを警報装置３に出力する。警報装置３は光駆動回路２４と音声駆動回路２５からなり、警報パルスＫにより光駆動回路２４は赤ランプ２６に駆動信号Ｅ２を発生して赤ランプ２６に送る。音声駆動回路２５では警報音声データＥ１を発生して、スピーカー２７に送る。
すると赤ランプ２６が点灯し、スピーカー２７から“ピッ、ピッや近過ぎますよ、もっと離れて目を大切にね”などの警告音声が聞こえてくる。
従って、使用者は画面部４への近づき過ぎに気付いて注意するようになる。赤ランプ２６の代わりに黄色と赤ランプを設けて、近づいてきたら黄色ランプを点灯し、４０ｃｍ以下になったら赤ランプを点灯するようにしてもよい。更に赤ランプ２６の代わりに青ランプと黄色ランプと赤ランプを設けて、５０ｃｍ以上なら、青ランプを点灯し、４０ｃｍに近づいてきたら黄色ランプを点灯し、４０ｃｍ以下になったら赤ランプを点灯するようにしてもよい。【００１５】  また警報音声も母親の声、教師の声、父親声など音質を変更したり、言葉の内容も“もっと離れて”など各種変更できる。４０ｃｍ以下になったらスピーカー２７からピーピーピーと警報音を鳴らしてもよい。
更に、メモリ２２には値３０ｃｍも設定し、４０ｃｍを超えて３０ｃｍになったらスピーカー２７からピッピッピット早い警報音を鳴らすこともできる。
次に図３において、視距離通知装置１０の赤外線型について、その原理を詳しく説明する。
赤外線型の場合は人間１３が画面部４に接近すると、顔面Ｆから発する人体熱の赤外線（点線で示す）が指向性の強い赤外線センサー受光部３０で検出される。ここで発生する検出電流ｍＡは人間の顔面が画面部４に近ければ近いほど、強くなる。従って予め顔面Ｆと画面部４との距離と、検出電流の強度とを多くの人体で実験したデータの平均値を記憶装置３３に格納しておく。【００１６】  例えば１ｍＡならＤ＝６０ｃｍ、２ｍＡならＤ＝５０ｃｍ、３ｍＡなら４０ｃｍ、４ｍＡなら３０ｃｍ、５ｍＡなら３０ｃｍ、７ｍＡなら２０ｃｍなど表として格納する。
ここでもバッファメモリ１６が設けられ、検出電流ｍＡはバッファメモリ１６に同様に、時間と関連して記録される。また記憶装置３３に格納された距離Ｄと検出電流ｍＡのデータの平均値は、同様に取り付けられるパソコン１の所定の記憶部にも予め記録されている。バッファメモリ１６にはＵＳＢ端子を介してパソコン１から時刻データが与えられて、ｍＡのデータは時間と関連して記録される。この記録は１日単位ばかりでなく、１週間、１ヶ月、半年単位で、記録する。バッファメモリ１６から検出電流ｍＡを読み出したパソコン１では距離Ｄが判定できる。電源部１７については超音波型と同様であり、説明を省略する。【００１７】  比較回路３６では、検出電流ｍＡと記憶装置３３の表データとを比較し、検出電流ｍＡに対応する距離Ｄが予め記憶装置３３に設定した４０ｃｍ以下になると、即ち３ｍＡ以下になると、警報パルスＫを警報装置３の光駆動回路２４と音声駆動回路２５に出力する。
ここでは赤外線センサー受光部３０と記憶装置３３と比較回路３６とが距離センサー２を構成する。前述同様警報パルスＫにより、光駆動回路２４は駆動信号Ｅ２を発生して赤ランプ２６に送り、音声駆動回路２５では警報音声データＥ１を発生してスピーカー２７に送る。実施例１と同様に赤ランプ２６が点灯し、スピーカー１５から“ピッ、ピッや近過ぎますよ、もっと離れて目を大切にね”などの警告音声が聞こえるので、使用者は画面への近づき過ぎに気付いて注意するようになる。【００１８】  また次に、図４において、視距離通知装置１０の電子カメラ型について、その原理を詳しく説明する。
図４に示すように操作人１２は、パソコン１の枠５上にある電子カメラ４０の前に対面して座り、自分の顔Ｆ写真を家族や友人に電子メールを送る際に行う状態で撮影される。
電子カメラ４０で生成されるイメージサイズＺは人間の顔面が電子カメラ４０に近ければ近いほど、大きくなる。従って予め顔面Ｆと電子カメラ４０との距離と、生成されるイメージサイズＺとを多くの人体で実験したデータの平均値を記憶装置３５に格納しておく。図４の記憶装置３５内では、顔ＦのイメージサイズＺは、電子カメラ４０とから顔を順番に番地１の２０ｃｍ、番地２の３０ｃｍ、番地３の４０ｃｍ、番地４の５０ｃｍと遠くすることで、この順序で次第に小さくなっている。
即ちイメージサイズＺと各距離との関係を、番地１では２０ｃｍ、番地２では３０ｃｍ、番地３では４０ｃｍ、番地４では５０ｃｍなどと、予め記憶しておく。【００１９】  電子カメラ４０は図１のようにパソコン１の枠５に取り付けるので、電子カメラ４０と顔Ｆとの距離Ｄにほぼ等しくなる。また図４において番地１、２、３、４、５…  の移動刻みを細かくすれば、イメージサイズＺが細かく把握できる。
次に、電子カメラ４０は１分毎の周期で操作人の最新の顔Ｆを撮影し、イメージデータを比較回路３６に送る。
近眼の人ならパソコン１の画面４に顔Ｆが接近し広い面積のイメージデータが、老眼なら遠くに離れるので小さな面積のイメージデータが電子カメラ４０から出力される。かくして記憶装置３５のいずれかの番地に該当する顔写真のイメージデータが電子カメラ４０から比較回路３６に送られる。【００２０】  比較回路３６は入力したイメージデータとメモリ３５内のイメージサイズＺ群とを比較して、距離Ｄを判定部１５に出力する。バッファメモリ１６にはＵＳＢ端子を介してパソコン１から時刻データが与えられて、距離Ｄのデータは時間と関連して記録される。この記録は１日単位ばかりでなく、１週間、１ヶ月、半年単位で、記録する。
判定部１５では受けた距離Ｄと予め内部に定めた４０ｃｍとを比較し、Ｄ＜４０ｃｍになると、警報パルスＫを発生する。警報パルスＫは警報装置３の光駆動回路２４と音声駆動回路２５に出力される。電源部１７やその他動作については、超音波型、赤外線型と同様であるので、説明を省略する。【００２１】  警報装置３の赤ランプ２６は発光ダイオード、通常の電球、でもよい。移動用でサイズの小さい携帯電話、携帯電子端末、電子ブック等では電子機器製作時の埋め込み型が望ましい。大型の計算機やＣＲＴパソコンや大型液晶画面の場合は新製品なら埋め込み型でいいが、既存の電子機器では画面枠に後から取り付けてもよく、又別置きのタイプでもでもよい。なお電源には、ＡＣ／ＤＣアダプターや太陽電池を使用できる。
次に動作について、図１において図７のタイムチャートを参照して説明する。距離センサー２（パソコン１）の前に操作者が座り、作業開始時点をＴ０とする。操作者は暫く時間Ｔ１まで、図１の画面４には４３ｃｍ程度の距離Ｄで対面して、作業をしていたが、段々目が疲れてきたのでついに、４０ｃｍ以下に接近してしまった。【００２２】  ４０ｃｍ以下を検知した距離センサー２は警報パルスＫを警報装置３に出力する。このため警報装置３の光駆動回路２４では駆動信号Ｅ２を発生して赤ランプ２６に送り、警報装置３の音声駆動回路２５では警報音声データＥ１を発生して、スピーカー２７に送る。
駆動信号Ｅ２は距離Ｄが４０ｃｍ以下である期間Ｔ１からＴ２まで持続し、作業者に注意を促す。一方警報音声データＥ１は距離Ｄが４０ｃｍ以下になった時点で１、２回発生し、その後まだ距離Ｄが４０ｃｍ以下であれば途中に１、２回再発生して、スピーカー２７から注意音を鳴らす。
警報音声を鳴りっぱなしにすると作業者は神経に触ってむしろ眼性疲労を深くするのでこれを防ぐようにしている。作業者が注意して距離Ｄを４０ｃｍ以上にするＴ２以降は駆動信号Ｅ２が消滅し赤ランプ２６は消灯し、警報音声データＥ１も消滅したままで、スピーカー２７も静かである。
【実施例１】
【００２３】    図５に別置きタイプの概観図を示す、距離センサー２と警報装置３を含む視距離通知装置１０を置時計枠型８内に取り付ける。この際距離センサー２は、図２の超音波型や図３の赤外線型や図４の電子カメラ型いずれでもよい。
置時計枠型８には人形の縫い包み１１を着せて被せ、アクセサリーの趣を持たせる。この縫い包み１１を人気アニメやスポーツ選手のキャラクター人形とすることも可能である。
また視距離通知装置１０は、電源を所定のケーブルとＵＳＢ端子とを介してパソコン本体のから受けるようにする。更に置時計枠型８には新たなＵＳＢ端子９を複数設けることができる。この場合パソコン本体のＵＳＢ端子はケーブル１５により新たなＵＳＢ端子９と電気的に接続されている。これら新たなＵＳＢ端子９を別の各種周辺機器の入出力端子として利用できる。別置きのタイプでは既存のパソコン１の画面部４の側方に置いて使用し、後付けで利用できる。
【実施例２】
【００２４】    図６に埋め込みタイプの正面図を示す、距離センサー２と警報装置３を含む視距離通知装置１０をパソコン１の画面４の枠５内に、パソコン製造時に同時に埋め込んで取り付ける。これらを枠５の上の中央部に埋め込むことで、パソコン使用者１３の目と画面部４との距離Ｄをより正確に設定できる。
この際距離センサー２は、同様に超音波型や赤外線型や電子カメラ型いずれでもよい。
また同様に視距離通知装置１０を携帯電話１９や、携帯電子端末１８の枠５内に製造時に同時にそれぞれ埋め込む。
更に別置きタイプの実施例１の変形例として、図１に示すように、視距離通知装置１０自体を平板（箱）状に外形を整形し、パソコン１の画面４の枠５の上方中央部に脱着可能な接着部材で取り付けてもよい。脱着タイプは携帯電話や、携帯電子端末にも小型化すれば取り付け可能である。枠５の上の中央部に距離センサー２を取り付けることで、パソコン使用者１３の目と画面部４との距離Ｄをより正確に設定できる。別置きのタイプでは既存のパソコン１や携帯電話や携帯ゲーム機、携帯電子ブックその他の携帯電子端末に後付けで、使用できる。
【産業上の利用可能性】
【００２５】  現代人が、毎日見ることを必要とする携帯電話、携帯ゲーム機および電子端末、電子ブック、計算機、各種パソコン等、またはテレビの電子画面に対する視距離を通知する廉価で簡単な装置として利用できる。バッファメモリ１６から、時間と関連して記録された視距離データＤや検出電流値ｍＡをパソコン１に読み出すことで、作業者の視力の変化を１週間、１ヶ月、半年単位で、大よそ知ることができる。そのため眼の何らかの疲労や病状・症状を把握して、専門医の相談を受けるきっかけとすることができる。企業単位では社内のＶＤＴ労働者の健康管理に利用できる。
【図面の簡単な説明】
【００２６】
【図１】この考案の電子表示装置に対する視距離通知装置の全体構成を示す図である。
【図２】この考案の視距離通知装置の超音波型の回路図を示す図である。
【図３】この考案の視距離通知装置の赤外線型の回路図を示す図である。
【図４】この考案の視距離通知装置の電子カメラ型の回路図を示す図である。
【図５】この考案の電子表示装置に対する視距離通知装置の実施例１の図である。
【図６】この考案の電子表示装置に対する視距離通知装置の実施例２の各種構成を示す図である。
【図７】この考案の電子表示装置の動作を説明するためのタイムチャートである。
【符号の説明】
【００２７】    １  電子機器
２  距離センサー
３  警告部
４  電子画面部
５  枠
６  スピーカー
８  置時計枠型
９  ＵＳＢ端子
１０  視距離通知装置
１１  縫い包み
１２  電源部
１３    人間
１４  ＣＰＵ
１５    ケーブル
１６  バッファメモリ
１７  判定部
１８    携帯端末
１９  携帯電話
２０  超音波送信部
２１  超音波受信部
２２  メモリ
２３、３６  比較部
２４  光駆動部
２５  音声駆動部
２６  発光部
２７、Ｐ  スピーカ
３０  赤外線センサー
３３  記憶装置
Ｄ  距離
Ｆ  顔
Ｋ  警告パルス
【図１】
0003104709.tif 000003
【図２】
0003104709.tif 000004
【図３】
0003104709.tif 000005
【図４】
0003104709.tif 000006
【図５】
0003104709.tif 000007
【図６】
0003104709.tif 000008
【図７】
0003104709.tif 000009